(57)【要約】【課題】テレビ放送信号をミリ波帯にアップコンバートして無線伝送するミリ波送受信システムにおいて、端末側の周波数変換装置から、テレビ放送信号の周波数帯域に影響されることなくＣＮ比の高いテレビ放送信号を出力できるようにする。【解決手段】帯域識別信号変調器１０から親機３０に帯域識別信号を入力することにより、親機３０に対して、テレビ放送信号をミリ波帯にアップコンバートする際に、帯域識別信号を同時にアップコンバートさせる。子機６０側では、親機３０からの送信電波を受信し、ダウンコンバートした信号の中から、帯域識別信号を抽出して、テレビ放送信号の周波数帯域を表す帯域識別データを復元し、その復元した帯域識別データに基づき、テレビ放送信号を通過させるバンドパスフィルタの通過周波数帯域を調整する。【選択図】図１
2008288976.tif 000002
【特許請求の範囲】
【請求項１】
テレビ放送信号をミリ波帯へアップコンバートし、該アップコンバート後の信号を第１アンテナから送信する送信手段と、
前記第１アンテナからの送信電波を第２アンテナにて受信し、該第２アンテナからの受信信号をダウンコンバートすることにより、前記テレビ放送信号を復元する受信手段と、
を備えたミリ波送受信システムであって、
前記テレビ放送信号の周波数帯域を表す帯域情報を、前記送信手段にて前記テレビ放送信号と共にミリ波帯へアップコンバート可能な帯域識別信号に変換して出力する帯域識別信号出力手段を備え、
前記送信手段は、前記帯域識別信号出力手段から出力された帯域識別信号と前記テレビ放送信号とを一括してミリ波帯へアップコンバートするよう構成され、
前記受信手段は、
前記受信信号をダウンコンバートした信号のうち、前記テレビ放送信号を選択的に通過させるバンドパスフィルタと、
前記受信信号をダウンコンバートした信号の中から前記帯域識別信号を抽出し、該帯域識別信号から前記帯域情報を復元する帯域情報復元手段と、
該帯域情報復元手段にて復元された帯域情報に基づき、前記バンドパスフィルタの通過周波数帯域を調整して、該通過周波数帯域を前記テレビ放送信号の周波数帯域に対応させるフィルタ帯域調整手段と、
を備えたことを特徴とするミリ波送受信システム。
【請求項２】
データ通信用のネットワークで送受信される伝送データを、前記テレビ放送信号及び前記帯域識別信号と共にミリ波帯へアップコンバート可能なデータ信号に変換して出力する第１通信手段と、
該第１通信手段から出力されるデータ信号を受けると、該データ信号を前記ネットワークで送受信される伝送データに変換して出力する第２通信手段と、
を備え、
前記送信手段は、前記第１通信手段から出力されるデータ信号を、前記テレビ放送信号及び前記帯域識別信号と共にミリ波帯へアップコンバートして、前記第１アンテナから送信させ、
前記受信手段は、前記受信信号をダウンコンバートした信号のうち、前記データ信号を選択的に通過させるデータ信号通過フィルタを備え、該フィルタを通過したデータ信号を前記第２通信手段に出力することを特徴とする請求項１に記載のミリ波送受信システム。
【請求項３】
請求項１又は請求項２に記載のミリ波送受信システムにおいて、前記送信手段として用いられる周波数変換装置であって、
ミリ波を送信可能な第１アンテナと、
少なくともテレビ放送信号と該テレビ放送信号の周波数帯域を表す帯域識別信号とを一括してミリ波帯へアップコンバートし、前記第１アンテナから放射させるアップコンバート手段と、
を備えたことを特徴とする周波数変換装置。
【請求項４】
請求項１又は請求項２に記載のミリ波送受信システムにおいて、前記受信手段として用いられる周波数変換装置であって、
少なくともテレビ放送信号と帯域識別信号とをミリ波帯にアップコンバートしたミリ波信号を受信するための第２アンテナと、
該第２アンテナからの受信信号をダウンコンバートして、前記テレビ放送信号及び帯域識別信号を復元するダウンコンバート手段と、
該ダウンコンバート手段にてダウンコンバートされた信号のうち、前記テレビ放送信号を選択的に通過させるバンドパスフィルタと、
前記ダウンコンバート手段にてダウンコンバートされた信号の中から前記帯域識別信号を抽出し、該帯域識別信号から、前記テレビ放送信号の周波数帯域を表す帯域情報を復元する帯域情報復元手段と、
該帯域情報復元手段にて復元された帯域情報に基づき、前記バンドパスフィルタの通過周波数帯域を調整して、該通過周波数帯域を前記テレビ放送信号の周波数帯域に対応させるフィルタ帯域調整手段と、
を備えたことを特徴とする周波数変換装置。
【発明の詳細な説明】
【技術分野】
【０００１】
本発明は、テレビ放送信号をミリ波帯にアップコンバートして無線伝送するミリ波送受信システム、及び、このシステムで利用される周波数変換装置に関する。
【背景技術】
【０００２】
従来より、建造物の各部屋において、テレビ放送信号をミリ波帯にアップコンバートして室内に無線送信するようにし、室内に設置されたテレビ受信装置側では、その無線送信されたミリ波帯のテレビ放送信号を受信し、ダウンコンバートすることで、元のテレビ放送信号を復元するように構成されたミリ波送受信システムが知られている（例えば、特許文献１等、参照）。
【特許文献１】特開２００３−１６８９８６号公報
【発明の開示】
【発明が解決しようとする課題】
【０００３】
ところで、この種のミリ波送受信システムで送受信されるテレビ放送信号の周波数帯域は、そのシステムが構築される建造物でのテレビ放送信号の取得形態によって異なる。つまり、テレビ放送には、地上の電波塔を利用した地上波放送、放送衛星（ＢＳ）を利用したＢＳ放送、通信衛星（ＣＳ）を利用したＣＳ放送等があり、更に、これら各放送で配信される放送信号のチャンネル配列を変更したり、自主放送のテレビ放送信号（チャンネル）を付加してテレビ放送信号を配信するＣＡＴＶシステムも知られている。
【０００４】
このため、上記ミリ波送受信システムを、全てのテレビ放送伝送システムで利用できるようにするには、ミリ波を受信してダウンコンバートする周波数変換装置（ダウンコンバータ）において、ダウンコンバート後の受信信号を通過させるバンドパスフィルタの通過周波数帯域を、地上波放送、ＢＳ放送、ＣＳ放送、ＣＡＴＶ等で利用されている全放送チャンネルのテレビ放送信号を通過可能な周波数帯域に設定すればよい。
【０００５】
しかし、このようにすると、例えば、地上波放送とＢＳ放送のテレビ放送信号を伝送し、ＣＳ放送のテレビ放送信号を伝送しないテレビ放送伝送システムでは、ミリ波を受信してダウンコンバートするダウンコンバータから、地上波放送及びＢＳ放送のテレビ放送信号に加えて、実際にはテレビ放送信号が存在しないＣＳ放送の周波数帯域内のノイズ信号が出力されることになり、ダウンコンバータから出力されるテレビ放送信号のＣＮ比（キャリア対ノイズ比）が小さくなって、所望チャンネルのテレビ放送信号を選局して復調するテレビ受信装置側で、映像及び音声信号を正常に復調することができなくなるという問題がある。
【０００６】
本発明は、こうした問題に鑑みなされたものであり、テレビ放送信号をミリ波帯にアップコンバートして無線伝送するミリ波送受信システムにおいて、ミリ波を受信してダウンコンバートする端末側の周波数変換装置からは、テレビ放送信号の周波数帯域に影響されることなく、ＣＮ比の高いテレビ放送信号を出力できるようにすることを目的とする。
【課題を解決するための手段】
【０００７】
かかる目的を達成するためになされた請求項１に記載の発明は、
テレビ放送信号をミリ波帯へアップコンバートし、該アップコンバート後の信号を第１アンテナから送信する送信手段と、
前記第１アンテナからの送信電波を第２アンテナにて受信し、該第２アンテナからの受信信号をダウンコンバートすることにより、前記テレビ放送信号を復元する受信手段と、
を備えたミリ波送受信システムであって、
前記テレビ放送信号の周波数帯域を表す帯域情報を、前記送信手段にて前記テレビ放送信号と共にミリ波帯へアップコンバート可能な帯域識別信号に変換して出力する帯域識別信号出力手段を備え、
前記送信手段は、前記帯域識別信号出力手段から出力された帯域識別信号と前記テレビ放送信号とを一括してミリ波帯へアップコンバートするよう構成され、
前記受信手段は、
前記受信信号をダウンコンバートした信号のうち、前記テレビ放送信号を選択的に通過させるバンドパスフィルタと、
前記受信信号をダウンコンバートした信号の中から前記帯域識別信号を抽出し、該帯域識別信号から前記帯域情報を復元する帯域情報復元手段と、
該帯域情報復元手段にて復元された帯域情報に基づき、前記バンドパスフィルタの通過周波数帯域を調整して、該通過周波数帯域を前記テレビ放送信号の周波数帯域に対応させるフィルタ帯域調整手段と、
を備えたことを特徴とする。
【０００８】
また、請求項２に記載の発明は、請求項１に記載のミリ波送受信システムにおいて、
データ通信用のネットワークで送受信される伝送データを、前記テレビ放送信号及び前記帯域識別信号と共にミリ波帯へアップコンバート可能なデータ信号に変換して出力する第１通信手段と、
該第１通信手段から出力されるデータ信号を受けると、該データ信号を前記ネットワークで送受信される伝送データに変換して出力する第２通信手段と、
を備え、
前記送信手段は、前記第１通信手段から出力されるデータ信号を、前記テレビ放送信号及び前記帯域識別信号と共にミリ波帯へアップコンバートして、前記第１アンテナから送信させ、
前記受信手段は、前記受信信号をダウンコンバートした信号のうち、前記データ信号を選択的に通過させるデータ信号通過フィルタを備え、該フィルタを通過したデータ信号を前記第２通信手段に出力することを特徴とする。
【０００９】
次に、請求項３に記載の発明は、請求項１又は請求項２に記載のミリ波送受信システムにおいて、前記送信手段として用いられる周波数変換装置であって、
ミリ波を送信可能な第１アンテナと、
少なくともテレビ放送信号と該テレビ放送信号の周波数帯域を表す帯域識別信号とを一括してミリ波帯へアップコンバートし、前記第１アンテナから放射させるアップコンバート手段と、
を備えたことを特徴とする。
【００１０】
また、請求項４に記載の発明は、請求項１又は請求項２に記載のミリ波送受信システムにおいて、前記受信手段として用いられる周波数変換装置であって、
少なくともテレビ放送信号と帯域識別信号とをミリ波帯にアップコンバートしたミリ波信号を受信するための第２アンテナと、
該第２アンテナからの受信信号をダウンコンバートして、前記テレビ放送信号及び帯域識別信号を復元するダウンコンバート手段と、
該ダウンコンバート手段にてダウンコンバートされた信号のうち、前記テレビ放送信号を選択的に通過させるバンドパスフィルタと、
前記ダウンコンバート手段にてダウンコンバートされた信号の中から前記帯域識別信号を抽出し、該帯域識別信号から、前記テレビ放送信号の周波数帯域を表す帯域情報を復元する帯域情報復元手段と、
該帯域情報復元手段にて復元された帯域情報に基づき、前記バンドパスフィルタの通過周波数帯域を調整して、該通過周波数帯域を前記テレビ放送信号の周波数帯域に対応させるフィルタ帯域調整手段と、
を備えたことを特徴とする。
【発明の効果】
【００１１】
請求項１に記載のミリ波送受信システムには、ミリ波を使って無線伝送するテレビ放送信号の周波数帯域を表す帯域情報を、テレビ放送信号と共に無線伝送可能な帯域識別信号に変換する帯域識別信号出力手段が設けられており、送信手段が、その帯域識別信号とテレビ放送信号とを一括してミリ波帯へアップコンバートし、第１アンテナから送信させる。
【００１２】
また、第１アンテナから送信されたミリ波は、受信手段に設けられた第２アンテナにて受信され、受信手段は、その受信信号をダウンコンバートすることにより、テレビ放送信号及び帯域識別信号を復元する。
【００１３】
また、受信手段において、ダウンコンバートにより復元された信号は、テレビ放送信号を選択的に通過させるバンドパスフィルタに入力される。この結果、バンドパスフィルタからはテレビ放送信号のみが出力され、このテレビ放送信号をテレビ受信装置に出力することで、テレビ受信装置側で所望放送チャンネルのテレビ放送信号を選局し、映像及び音声信号を生成することができる。
【００１４】
また、受信手段においては、帯域情報復元手段が、ダウンコンバートした信号の中から帯域識別信号を抽出し、その帯域識別信号から帯域情報を復元する。そして、フィルタ帯域調整手段が、その復元された帯域情報に基づき、バンドパスフィルタの通過周波数帯域を調整して、その通過周波数帯域をテレビ放送信号の周波数帯域に対応させる。
【００１５】
従って、本発明のミリ波送受信システムによれば、ミリ波をダウンコンバートする受信手段からは、バンドパスフィルタを介して、送信手段がミリ波帯にアップコンバートしたテレビ放送信号の周波数帯域に対応した信号のみが選択的に出力されることになり、受信手段から出力されるテレビ放送信号のＣＮ比が、テレビ放送信号の存在しない周波数領域の信号（雑音）によって悪化するのを防止できる。
【００１６】
次に、請求項２に記載のミリ波送受信システムには、請求項１に記載の送信手段、受信手段、及び帯域識別信号出力手段に加えて、第１通信手段と第２通信手段とが設けられており、送信手段は、第１通信手段から出力されるデータ信号を、テレビ放送信号及び帯域識別信号と共にミリ波帯へアップコンバートして、第１アンテナから送信させ、受信手段は、受信信号をダウンコンバートした信号に含まれるデータ信号を、データ信号通過フィルタを介して、第２通信手段に出力する。
【００１７】
このため、請求項２に記載のミリ波送受信システムによれば、テレビ放送信号に加えて、データ通信用のネットワークで送受信される伝送データを、ネットワークから端末側の情報処理装置へと無線伝送することができるようになり、送信手段及び受信手段においてアップコンバート及びダウンコンバートのために生成したミリ波（周波数変換用の高周波信号）を有効に利用することができる。
【００１８】
一方、請求項３に記載の周波数変換装置は、アップコンバート手段にて、テレビ放送信号と帯域識別信号とを一括してミリ波帯へアップコンバートし、そのアップコンバート後のミリ波を第１アンテナから放射させる。このため、請求項３に記載の周波数変換装置は、本発明（請求項１、２）のミリ波送受信システムにおいて、上述の送信手段として使用することができる。
【００１９】
また、請求項４に記載の周波数変換装置は、少なくともテレビ放送信号と帯域識別信号とをミリ波帯にアップコンバートしたミリ波信号を受信するための第２アンテナを備える。そして、ダウンコンバート手段が、その第２アンテナからの受信信号をダウンコンバートして、テレビ放送信号及び帯域識別信号を復元し、バンドパスフィルタが、そのダウンコンバートされた信号に含まれるテレビ放送信号を選択的に通過させる。
【００２０】
また請求項４に記載の周波数変換装置には、ダウンコンバート手段にてダウンコンバートされた信号の中から帯域識別信号を抽出し、その帯域識別信号から、テレビ放送信号の周波数帯域を表す帯域情報を復元する帯域情報復元手段が設けられており、フィルタ帯域調整手段が、その復元された帯域情報に基づき、バンドパスフィルタの通過周波数帯域を調整することにより、バンドパスフィルタの通過周波数帯域をテレビ放送信号の周波数帯域に対応させる。
【００２１】
従って、この請求項４に記載の周波数変換装置は、本発明（請求項１、２）のミリ波送受信システムにおいて、上述の受信手段として使用することができる。
よって、請求項３に記載の周波数変換装置と請求項４に記載の周波数変換装置を利用すれば、本発明（請求項１、２）のミリ波送受信システムを容易に構築することができるようになる。
【発明を実施するための最良の形態】
【００２２】
以下に本発明の一実施形態を図面と共に説明する。
図１は、本発明が適用されたミリ波送受信システム全体の構成を表すブロック図である。
【００２３】
本実施形態のミリ波送受信システムは、テレビ放送受信用の共同受信システムやＬＡＮ（Local Area Network）が構築された建造物内の任意の部屋に設置され、共同受信システムの伝送路（同軸ケーブル）を介して伝送されてきたテレビ放送信号を室内に設置されたテレビ受信装置１００へ無線伝送したり、室内に設置されたパーソナルコンピュータ等の情報処理装置１０２とＬＡＮとの間で送受信されるデータを無線伝送するものである。
【００２４】
ここで、共同受信システムは、建造物の屋根上に設置されたＢＳ／ＣＳアンテナ２及びＵＨＦアンテナ４により、ＢＳ／ＣＳ放送及び地上デジタル放送のテレビ放送電波を受信し、各アンテナ２、４から出力される受信信号（テレビ放送信号）を、混合器６、増幅器８、分配器９等が設けられた伝送路（同軸ケーブル）を介して、建造物内の各部屋まで伝送する周知のものである。
【００２５】
また、ＬＡＮは、光回線終端装置（ＯＮＵ：Optical Network Unit）１２、ハブ（ＨＵＢ）１４、通信機能を有するハードディスク（ＬＡＮ接続型ＨＤＤ）１６、及び、ハブ１４に接続されてデータ通信を行う各種情報処理装置から構成されている。
【００２６】
そして、ＬＡＮに接続されてデータ通信を行う情報処理装置１０２やテレビ受信装置１００が設置された部屋には、ハブ１４に接続されたＬＡＮ側の変復調器２０と、この変復調器２０やテレビ共同受信システムの伝送路に接続された周波数変換器３０と、この周波数変換器３０との間でミリ波を送受信する周波数変換器６０と、この周波数変換器６０に接続された端末側の変復調器９０とが設けられている。
【００２７】
なお、周波数変換器３０、６０は、ミリ波送受信用のアンテナ３０ａ、６０ａを備え、テレビ放送信号や情報処理装置１０２とＬＡＮとの間で送受信されるデータを、ミリ波を使って中継するものであり、以下の説明では、共同受信システムやＬＡＮ側の周波数変換器３０を親機、端末側の周波数変換器６０を子機、ともいう。
【００２８】
また、建造物内には、共同受信システムで伝送されるテレビ放送信号の周波数帯域を表す帯域情報を、親機３０にて、テレビ放送信号と共にミリ波帯へアップコンバート可能な高周波信号（帯域識別信号）に変換して出力する帯域識別信号変調器１０が設けられており、親機３０には、この帯域識別信号変調器１０からの出力（帯域識別信号）も入力される。
【００２９】
次に、帯域識別信号変調器１０、変復調器２０、親機３０、子機６０、及び変復調器９０について説明する。
まず、帯域識別信号変調器１０は、本発明の帯域識別信号出力手段に相当するものであり、図２（ａ）に示すように、上述の共同受信システムで伝送されるテレビ放送信号の放送帯域の下限周波数（本実施形態では地上波放送の下限周波数である４７０ＭＨｚ：図３参照）を設定するための放送帯域下限周波数設定部１０ａと、同じくテレビ放送信号の放送帯域の上限周波数（本実施形態ではＣＳ放送の下限周波数である２１００ＭＨｚ：図３参照）を設定するための放送帯域上限周波数設定部１０ｂと、これら各設定部１０ａ、１０ｂにて設定された上／下限周波数に基づき、テレビ放送信号の周波数帯域を表す帯域識別データ（換言すれば帯域情報）を生成する帯域識別データ生成部１０ｃと、この帯域識別データ生成部１０ｃにて生成された帯域識別データに基づき、所定周波数（本実施形態では、放送帯域上限周波数よりも数Ｍ〜数十ＭＨｚ周波数が高い一定周波数：図３参照）の搬送波をＦＳＫ変調することで帯域識別信号を生成するＦＳＫ変調部１０ｄとから構成されている。
【００３０】
なお、帯域識別データ生成部１０ｃは、ＣＰＵを中心に構成されたマイクロコンピュータからなり、各周波数設定部１０ａ、１０ｂは複数ビットのディップスイッチにて構成されている。
【００３１】
次に、ＬＡＮ側の変復調器２０は、本発明の第１通信手段に相当するものであり、図２（ｂ）に示すように、ＬＡＮに接続されてデータを送受信するための通信インタフェース２２と、通信インタフェース２２を介して入力されるＬＡＮ側の伝送データを無線伝送用の下りデータ信号に変換すると共に、親機３０から入力される上りデータ信号をＬＡＮで伝送可能な伝送データに変換して、通信インタフェース２２（延いてはＬＡＮの通信線）に出力する変復調部２４と、変復調部２４にて生成された下りデータ信号を親機３０に出力するＲＦ送信部２６と、親機３０から出力された上りデータ信号を受信し、変復調部２４に入力するＲＦ受信部２８と、から構成されている。
【００３２】
また、端末側の変復調器９０は、本発明の第２通信手段に相当するものであり、図２（ｃ）に示すように、情報処理装置１０２との間でデータを送受信するための通信インタフェース９２と、通信インタフェース９２を介して入力される情報処理装置１０２からの送信データを上りデータ信号に変換すると共に、子機６０から入力される下りデータ信号をＬＡＮで送受信可能な伝送データに変換して、通信インタフェース９２（延いては情報処理装置１０２）に出力する変復調部９４と、変復調部９４にて生成された上りデータ信号を子機６０に出力するＲＦ送信部９６と、子機６０から出力された下りデータ信号を受信し、変復調部９４に入力するＲＦ受信部９８と、から構成されている。
【００３３】
なお、変復調部２４、９４は、それぞれ、ＬＳＩにて構成されている。そして、図３に示すように、変復調部２４にて生成される下りデータ信号の周波数は、共同受信システムにて配信されるテレビ放送信号（地上波、ＢＳ、ＣＳの各受信信号：４７０〜２１００ＭＨｚ）や帯域識別信号変調器１０にて生成される帯域識別信号よりも高い周波数（例えば、２５００〜３０００ＭＨｚ）に設定され、変復調部９４にて生成される上りデータ信号の周波数は、下りデータ信号よりも更に高い周波数（例えば、３０００〜３５００ＭＨｚ）に設定されている。
【００３４】
次に、周波数変換器（親機）３０は、図４に示すように、下りデータ信号、帯域識別信号、及び、テレビ放送信号を混合する混合回路３２と、この混合回路３２から出力される混合信号をミリ波帯（６０ＧＨｚ帯）の下り信号に周波数変換（アップコンバート）し、混合回路３６を介してアンテナ３０ａに出力することにより、アンテナ３０ａからミリ波帯の下り信号を送信させる下りアップコンバート部３４と、アンテナ３０ａにて受信されたミリ波帯の上り信号を、混合回路３６を介して取り込み、ダウンコンバートすることにより、端末側の周波数変換器（子機）６０がアップコンバートする前の上りデータ信号を復元する上りダウンコンバート部３８と、から構成されている。
【００３５】
この周波数変換器（親機）３０は、本発明の送信手段、或いは、請求項３に記載の周波数変換装置に相当するものであり、アンテナ３０ａは、本発明の第１アンテナに相当し、下りアップコンバート部３４は、本発明のアップコンバート手段に相当する。
【００３６】
そして、下りアップコンバート部３４は、混合回路３２からの出力（テレビ放送信号、帯域識別信号及び下りデータ信号を混合した混合信号）を増幅する増幅回路４１と、増幅回路４１にて増幅された混合信号と発振器４２にて生成されたミリ波帯の高周波信号とを混合することで、混合信号をミリ波帯に周波数変換するミキサ４３と、ミキサ４３からの出力のうち、ミリ波帯へ周波数変換された混合信号（下り信号）のみを選択的に通過させるバンドパスフィルタ（以下、ＢＰＦと記載する）４４と、ＢＰＦ４４を通過したミリ波帯の下り信号を増幅する増幅回路４５とから構成されている。
【００３７】
なお、このＢＰＦ４４の通過周波数帯域は、地上波放送、ＢＳ放送、ＣＳ放送、或いは、ＣＡＴＶシステムで配信される全てのテレビ放送信号をミリ波に変換して送信できるように、これら各テレビ放送の全放送周波数帯域に設定されている。
【００３８】
また、上りダウンコンバート部３８は、混合回路３６を介して入力されたミリ波帯の上り信号を選択的に通過させるＢＰＦ５１と、ＢＰＦ５１を通過した上り信号を増幅する増幅回路５２と、増幅回路５２にて増幅されたミリ波帯の上り信号と発振器５３にて生成されたミリ波帯の高周波信号とを混合することで、上り信号を上りデータ信号に周波数変換するミキサ５４と、ミキサ５４からの出力のうち、上りデータ信号のみを選択的に通過させるＢＰＦ５５と、ＢＰＦ５５を通過した上りデータ信号を増幅する増幅回路５６とから構成されている。
【００３９】
次に、端末側の周波数変換器（子機）６０は、本発明の受信手段、或いは、請求項４に記載の周波数変換装置に相当するものであり、図５に示すように、アンテナ６０ａにて受信された親機３０からの送信信号（下り信号）を、混合回路６２を介して取り込み、ダウンコンバートすることにより、親機３０がアップコンバートする前の混合信号（テレビ放送信号、帯域識別信号及び下りデータ信号を混合した混合信号）を復元する下りダウンコンバート部６４と、変復調器９０から出力された上りデータ信号を、ミリ波帯（６０ＧＨｚ帯、但し下り信号と重複しない周波数帯）の上り信号に周波数変換（アップコンバート）し、混合回路６２を介してアンテナ６０ａに出力することにより、アンテナ６０ａからミリ波帯の上り信号を送信させる上りアップコンバート部６６と、から構成されている。
【００４０】
また、上りアップコンバート部６６は、変復調器９０から出力された上りデータ信号のみを選択的に通過させるＢＰＦ８１と、ＢＰＦ８１を通過した上りデータ信号を増幅する増幅回路８２と、増幅回路８２にて増幅された上りデータ信号と発振器８３にて生成されたミリ波帯の高周波信号とを混合することで、上りデータ信号をミリ波帯に周波数変換するミキサ８４と、ミキサ８４からの出力のうち、ミリ波帯へ周波数変換された上りデータ信号（つまり上り信号）のみを選択的に通過させるＢＰＦ８５と、ＢＰＦ８５を通過したミリ波帯の上り信号を増幅する増幅回路８６とから構成されている。
【００４１】
一方、下りダウンコンバート部６４には、本発明のダウンコンバート手段として、混合回路６２を介して入力されたミリ波帯の下り信号を選択的に通過させるＢＰＦ７１と、ＢＰＦ７１を通過した下り信号を増幅する増幅回路７２と、増幅回路７２にて増幅されたミリ波帯の下り信号と発振器７３にて生成されたミリ波帯の高周波信号とを混合することで、下り信号を親機３０がアップコンバートする前の混合信号にダウンコンバートするミキサ７４とが設けられている。
【００４２】
そして、下りダウンコンバート部６４において、ミキサ７４からの出力は、分配回路７５にて３系統に分配され、その分配された１系統の混合信号は、下りデータ信号のみを選択的に通過させるＢＰＦ７８に入力され、このＢＰＦ７５を通過した下りデータ信号は、増幅回路７９にて増幅された後、端末側の変復調器９０へと出力される。また、分配回路７５にて分配された他の混合信号（２系統）は、それぞれ、通過周波数帯域を調整可能なチューナブルＢＰＦ７６、及び、ＦＳＫ復調部６８に入力される。
【００４３】
ＦＳＫ復調部６８は、分配回路７５から入力された混合信号の中から、帯域識別信号を抽出して、ＦＳＫ復調することで、帯域識別信号変調器１０にてＦＳＫ変調される前の帯域識別データを復元するものであり、その復元された帯域識別データは、制御部６９に入力される。
【００４４】
また制御部６９は、ＣＰＵを中心に構成されたマイクロコンピュータからなり、ＦＳＫ復調部６８から入力される帯域識別データに基づき、チューナブルＢＰＦ７６の通過周波数帯域がテレビ放送信号の周波数帯域となるよう、チューナブルＢＰＦ７６の通過周波数帯域を制御する。
【００４５】
つまり、本実施形態では、ＦＳＫ復調部６８が、本発明の帯域情報復元手段として機能し、制御部６９が、本発明のフィルタ帯域調整手段として機能する。
そして、このように通過周波数帯域が調整されるチューナブルＢＰＦ７６を通過したテレビ放送信号は、増幅回路７７にて増幅された後、端末側のテレビ受信装置１００に出力される。
【００４６】
以上説明したように、本実施形態のミリ波送受信システムにおいては、帯域識別信号変調器１０から親機３０に帯域識別信号を入力することにより、親機３０に対して、テレビ放送信号をミリ波帯にアップコンバートする際に、帯域識別信号を同時にアップコンバートさせ、子機６０側では、その送信電波を受信／ダウンコンバートした信号（混合信号）の中から、帯域識別信号を抽出して、帯域識別データ（帯域情報）を復元し、その復元した帯域識別データに基づき、チューナブルＢＰＦ７６の通過周波数帯域を、テレビ放送信号の周波数帯域に自動調整するようにされている。
【００４７】
このため、本実施形態のミリ波送受信システムによれば、子機６０からは、親機３０がミリ波帯にアップコンバートしたテレビ放送信号の周波数帯域に対応した信号のみが選択的に出力されることになり、子機６０から出力されるテレビ放送信号のＣＮ比が、テレビ放送信号の存在しない周波数領域の信号（雑音）によって悪化するのを防止できる。
【００４８】
つまり、本実施形態のミリ波送受信システムは、例えば、ＢＳ／ＣＳアンテナ２がなく、ＵＨＦアンテナ４にて受信された地上デジタル放送のテレビ放送信号のみが伝送される共同受信システムで使用するような場合には、帯域識別信号変調器１０に設けられた２つの周波数設定部１０ａ、１０ｂを介して、ＵＨＦアンテナ４にて実際に受信される全放送チャンネルの下限周波数と上限周波数を入力すれば、子機６０からテレビ受信装置１００には、その放送チャンネルのテレビ放送信号のみが選択的に出力されることになり、テレビ受信装置１００側で、テレビ放送信号が存在しない周波数帯のノイズの影響を受けて、映像信号等を正常に復元できなくなるのを防止できる。
【００４９】
また、本実施形態のミリ波送受信システムには、変復調器２０、９０が設けられており、この変復調器２０、９０間で送受信される下りデータ信号及び上りデータ信号についても、ミリ波を介して双方向に伝送するようにされている。
【００５０】
このため、本実施形態のミリ波送受信システムによれば、室内の情報処理装置１０２とＬＡＮ（延いてはインターネット等の外部ネットワーク）との間のデータ通信をもミリ波を使って中継できるようになる。
【００５１】
以上、本発明の一実施形態について説明したが、本発明は上記実施形態に限定されるものではなく、本発明の要旨を逸脱しない範囲内にて、種々の態様をとることができる。
例えば、上記実施形態では、帯域識別信号は、テレビ放送信号よりも高い周波数に設定するものとして説明したが、テレビ放送信号の周波数帯域内で空いている周波数（例えば、地上波とＢＳ放送との間の周波数）に設定するようにしてもよく、或いは、テレビ放送信号の下限周波数よりも低い周波数に設定してもよい。
【００５２】
また、帯域識別信号変調器１０は、親機３０に接続されるものとして説明したが、帯域識別信号変調器１０は、親機３０に内蔵してもよく、或いは、共同受信システムのヘッドエンド側（例えば混合器６）に設けて、端末側に伝送されるテレビ放送信号に帯域識別信号を混合するようにしてもよい。
【図面の簡単な説明】
【００５３】
【図１】実施形態のミリ波送受信システム全体の構成を表すブロック図である。
【図２】帯域識別信号変調器、ＬＡＮ側の変復調器及び端末側の変復調器の構成を表すブロック図である。
【図３】実施形態のミリ波送受信システムで伝送されるテレビ放送信号、下りデータ信号、上りデータ信号及び帯域識別信号の周波数配列を説明する説明図である。
【図４】周波数変換器（親機）の構成を表すブロック図である。
【図５】周波数変換器（子機）の構成を表すブロック図である。
【符号の説明】
【００５４】
２…ＢＳ／ＣＳアンテナ、４…ＵＨＦアンテナ、６…混合器、８…増幅器、９…分配器、１０…帯域識別信号変調器、１０ａ…放送帯域下限周波数設定部、１０ｂ…放送帯域上限周波数設定部、１０ｃ…帯域識別データ生成部、１０ｄ…ＦＳＫ変調部、１２…ＯＮＵ、１４…ハブ（ＨＵＢ）、２０…変復調器、２２…通信インタフェース、２４…変復調部、２６…ＲＦ送信部、２８…ＲＦ受信部、３０…周波数変換器（親機）３０ａ…アンテナ、３２…混合回路、３４…下りアップコンバート部、３６…混合回路、３８…上りダウンコンバート部、４１，４５，５２，５６…増幅回路、４２，５３…発振器、４３，５４…ミキサ、４４，５１，５５…ＢＰＦ、６０…周波数変換器（子機）、６０ａ…アンテナ、６２…混合回路、６４…下りダウンコンバート部、６６…上りアップコンバート部、６８…ＦＳＫ復調部、６９…制御部、７１，７８，８１，８５…ＢＰＦ、７２，７７，７９，８２，８６…増幅回路、７３，８３…発振器、７４，８４…ミキサ、７５…分配回路、７６…チューナブルＢＰＦ、９０…変復調器、９２…通信インタフェース、９４…変復調部、９６…ＲＦ送信部、９８…ＲＦ受信部、１００…テレビ受信装置、１０２…情報処理装置。
【図１】
2008288976.tif 000003
【図２】
2008288976.tif 000004
【図３】
2008288976.tif 000005
【図４】
2008288976.tif 000006
【図５】
2008288976.tif 000007